(57)【要約】【課題】従来の画像圧縮装置では、輝度信号レベルの直流オフセット変動しか補正できず、ビデオカメラのＡＧＣ作動のように利得をもった輝度信号レベルの変動には対応できない。【解決手段】ＡＧＣ補正部１１８は、ＡＧＣ回路部１０２より出力される、バッファメモリ／プリプロセス（ＢＭ）部１０５のフレーム入力時に使用された利得をＧ２、ＢＭ部１０５の出力輝度信号レベルをＡ、利得情報記憶部１１９に記憶されているフレームメモリ１１５から出力されるフレームが入力された時の利得をＧ１としたとき、下記演算式      Ａ’＝Ａ×（Ｇ１／Ｇ２）による演算により、ＢＭ部１０５の出力輝度信号レベルを補正し、その補正値Ａ’を動きベクトル検出部１１６へ出力する。これにより、ＡＧＣ回路部１０２による利得変動の影響を打ち消し安定した動き検出を実現する。【選択図】図１
2008236453.tif 000002
【特許請求の範囲】
【請求項１】
画像信号を自動利得制御回路部により自動利得制御した後、所定画素数のブロック単位でフレーム内符号化又は参照画像信号を用いたフレーム間予測符号化を行って圧縮符号化した符号化信号を出力する画像圧縮装置において、
前記画像信号に対して前記自動利得制御回路部が自動利得制御を行った際の利得をフレーム単位で記憶する利得記憶手段と、
前記符号化信号を局部復号して前記参照画像信号を生成する局部復号手段と、
入力画像信号を前記ブロック単位毎に、前記参照画像信号のすべて又は一部の画素と比較することにより、最も相関が高い画素領域を前記参照画像信号から選び、両者の位置関係を示す動きベクトルとして検出する動きベクトル検出手段と、
前記動きベクトルと前記参照画像信号とに基づいて生成した動き補償予測信号と、前記自動利得制御回路部により自動利得制御された画像信号との差分信号から前記フレーム間予測符号化を行う符号化手段と、
前記符号化手段に供給される前記自動利得制御回路部により自動利得制御された画像信号の前記自動利得制御回路部における第１の利得と、前記局部復号手段により生成された前記参照画像信号が局部復号される前に前記自動利得制御回路部により自動利得制御されたときの前記自動利得制御回路部における第２の利得との比率で、前記符号化手段に供給される前記自動利得制御回路部により自動利得制御された画像信号を補正し、その補正後の画像信号を前記動きベクトル検出手段に前記入力画像信号として供給する補正手段と
を有することを特徴とする画像圧縮装置。
【請求項２】
画像信号を自動利得制御回路部により自動利得制御した後、所定画素数のブロック単位でフレーム内符号化又は参照画像信号を用いたフレーム間予測符号化を行って圧縮符号化した符号化信号を出力する画像圧縮方法において、
前記画像信号に対して前記自動利得制御回路部が自動利得制御を行った際の利得をフレーム単位で記憶する第１のステップと、
前記自動利得制御回路部により自動利得制御された画像信号の前記自動利得制御回路部における第１の利得と、前記参照画像信号が局部復号される前に前記自動利得制御回路部により自動利得制御されたときの前記自動利得制御回路部における第２の利得との比率で、前記自動利得制御回路部により自動利得制御された画像信号を補正する第２のステップと、
前記第２のステップで補正された画像信号を入力として受け、その入力画像信号を前記ブロック単位毎に、前記参照画像信号のすべて又は一部の画素と比較することにより、最も相関が高い画素領域を前記参照画像信号から選び、両者の位置関係を示す動きベクトルとして検出する第３のステップと、
前記動きベクトルと前記参照画像信号とに基づいて生成した動き補償予測信号と、前記自動利得制御回路部により自動利得制御された画像信号との差分信号から前記フレーム間予測符号化を行う第４のステップと、
前記フレーム間予測符号化又は前記フレーム内符号化して得られた前記符号化信号を局部復号して前記参照画像信号を生成する第５のステップと
を含むことを特徴とする画像圧縮方法。
【発明の詳細な説明】
【技術分野】
【０００１】
本発明は画像圧縮装置及び画像圧縮方法に係り、特にビデオカメラで撮像して得た画像信号を圧縮符号化するのに好適な画像圧縮装置及び画像圧縮方法に関する。
【背景技術】
【０００２】
ビデオカメラで撮像して得た画像信号を圧縮符号化してハードディスクや光ディスクに記録したり、ネットワークを介して配信したりすることは広く行われている。ここで、動画像の圧縮符号化には一般にＭＰＥＧ（Moving Picture Experts Group）などの圧縮方式が用いられることが多い。ＭＰＥＧの画像圧縮では一画面の符号化対象画像信号をマクロブロック単位に分割し、参照画像の同一部分のマクロブロックと比較して動き検出を行っている。
【０００３】
ところで、ビデオカメラで撮像する被写体画像は、屋外／屋内、照明のオン／オフなどの環境の違いによって明るさが大きく変化する。そのため、ビデオカメラには自動利得（ＡＧＣ；Automatic Gain Control）回路と呼ばれる回路が設けられており、画面全体の輝度信号の平均レベルが一定になるよう制御を行っている。
【０００４】
これにより、例えば、撮影範囲で照明が点灯したりして画面上の一部分の輝度が明るくなると、ＡＧＣ回路が働いて利得を下げる。しかし、このとき撮影範囲にある大部分の領域では、動きがなく明るさも変化していないのにもかかわらず、ＡＧＣ回路の働きによって輝度信号のレベルが変化し、本来ならば輝度信号レベルの比較において相関が高いはずの画素領域であっても、動き補償予測では相関が無いと判定され、その結果、符号化効率が低下するといった問題が発生する。
【０００５】
このような問題を解決するため、画像の輝度値を、輝度平均値を用いて補正した後に動き検出することにより、符号化効率の低下を軽減する画像圧縮装置が提案されている（例えば、特許文献１参照）。
【０００６】
【特許文献１】特開平１０−０３２８２４号公報
【発明の開示】
【発明が解決しようとする課題】
【０００７】
しかるに、上記の従来の画像圧縮装置では、動き検出の対象となる画像の輝度値を、画像の一部又は全体の輝度平均値を用いて補正しているが、輝度信号レベルの直流オフセット変動しか補正できず、ビデオカメラのＡＧＣ作動のように利得をもった輝度信号レベルの変動には対応できない。
【０００８】
本発明は上記の点に鑑みなされたもので、画面の一部分の明るさが変化して、それによってＡＧＣの働きにより画面のそれ以外の部分の明るさが変化したような場合でも、動き補償予測精度の悪化を抑えた、画像圧縮装置及び画像圧縮方法を提供することを目的とする。
【課題を解決するための手段】
【０００９】
本発明の画像圧縮装置は、画像信号を自動利得制御回路部により自動利得制御した後、所定画素数のブロック単位でフレーム内符号化又は参照画像信号を用いたフレーム間予測符号化を行って圧縮符号化された符号化信号を出力する画像圧縮装置において、
画像信号に対して自動利得制御回路部が自動利得制御を行った際の利得をフレーム単位で記憶する利得記憶手段と、符号化信号を局部復号して参照画像信号を生成する局部復号手段と、入力画像信号をブロック単位毎に、参照画像信号のすべて又は一部の画素と比較することにより、最も相関が高い画素領域を参照画像信号から選び両者の位置関係を示す動きベクトルとして検出する動きベクトル検出手段と、動きベクトルと参照画像信号とに基づいて生成した動き補償予測信号と、自動利得制御回路部により自動利得制御された画像信号との差分信号からフレーム間予測符号化を行う符号化手段と、符号化手段に供給される自動利得制御回路部により自動利得制御された画像信号の自動利得制御回路部における第１の利得と、局部復号手段により生成された参照画像信号が局部復号される前に自動利得制御回路部により自動利得制御されたときの自動利得制御回路部における第２の利得との比率で、符号化手段に供給される自動利得制御回路部により自動利得制御された画像信号を補正し、その補正後の画像信号を動きベクトル検出手段に入力画像信号として供給する補正手段とを有することを特徴とする。
【００１０】
また、本発明の画像圧縮方法は、画像信号を自動利得制御回路部により自動利得制御した後、所定画素数のブロック単位でフレーム内符号化又は参照画像信号を用いたフレーム間予測符号化を行って圧縮符号化した符号化信号を出力する画像圧縮方法において、
画像信号に対して自動利得制御回路部が自動利得制御を行った際の利得をフレーム単位で記憶する第１のステップと、自動利得制御回路部により自動利得制御された画像信号の自動利得制御回路部における第１の利得と、参照画像信号が局部復号される前に自動利得制御回路部により自動利得制御されたときの自動利得制御回路部における第２の利得との比率で、自動利得制御回路部により自動利得制御された画像信号を補正する第２のステップと、第２のステップで補正された画像信号を入力として受け、その入力画像信号をブロック単位毎に、参照画像信号のすべて又は一部の画素と比較することにより、最も相関が高い画素領域を参照画像信号から選び両者の位置関係を示す動きベクトルとして検出する第３のステップと、動きベクトルと参照画像信号とに基づいて生成した動き補償予測信号と、自動利得制御回路部により自動利得制御された画像信号との差分信号からフレーム間予測符号化を行う第４のステップと、フレーム間予測符号化又はフレーム内符号化して得られた符号化信号を局部復号して参照画像信号を生成する第５のステップとを含むことを特徴とする。
【００１１】
本発明の画像圧縮装置及び画像圧縮方法では、符号化手段に供給される自動利得制御回路部により自動利得制御された画像信号の自動利得制御回路部における第１の利得と、参照画像信号が局部復号される前に自動利得制御回路部により自動利得制御されたときの自動利得制御回路部における第２の利得との比率で、自動利得制御回路部により自動利得制御された画像信号を補正し、その補正後の画像信号に基づいて動きベクトルを検出するようにしたため、自動利得制御回路による利得変動の影響を抑え、安定した動き検出を実現できる。
【発明の効果】
【００１２】
本発明によれば、自動利得制御回路部により自動利得制御された画像信号を補正し、その補正後の画像信号に基づいて動きベクトルを検出することにより、自動利得制御回路による利得変動の影響を抑え、安定した動き検出を実現するようにしたため、画面の一部分の明るさが変化しているが、画面の大部分では明るさが変化していない場合に自動利得制御回路によって輝度信号レベルが変化したような場合でも、動き補償予測精度の悪化を抑止することができる。
【発明を実施するための最良の形態】
【００１３】
次に、本発明の画像圧縮装置について、図面を参照して詳細に説明する。図１は本発明になる画像圧縮装置の一実施の形態を示すブロック図、図２は本実施形態である画像圧縮装置の使用状態の一例を示す模式図である。なお、両図中、同一構成部分には同一符号を付してある。
【００１４】
図１に示すように、本実施の形態の画像圧縮装置１は、カメラ部１０１、ＡＧＣ回路部１０２、シーンチェンジ検出部１０３、圧縮方法設定部１０４、バッファメモリ／プリプロセス（ＢＭ）部１０５、減算器１０６、離散コサイン変換（ＤＣＴ）部１０７、量子化部１０８、可変長符号化（ＶＬＣ）部１０９、マルチプレクサ（ＭＵＸ）１１０、符号量制御（ＣＣ）部１１１、逆量子化（ＩＱ）部１１２、逆離散コサイン変換（ＩＤＣＴ）部１１３、加算器１１４、フレームメモリ（ＦＭ）１１５、動きベクトル検出（ＭＥ）部１１６、動き補償予測（ＭＣ）部１１７、ＡＧＣ補正部１１８、利得情報記憶部１１９、スイッチＳＷ１、及びＳＷ２を備えている。
【００１５】
この画像圧縮装置１は図２に示すように、例えば室内に設けられた照明光源２０２で照明されている被写体２０３を撮影するカメラ部１０１と、そのカメラ部１０１で撮影して得た画像信号を圧縮符号化して符号化画像信号を得る圧縮符号化部（ＥＮＣ）１５０と、その符号化画像信号を記録するハードディスクドライブ（ＨＤＤ）１５１とからなる。上記のＥＮＣ１５０は、図１のカメラ部１０１以外の回路部からなる。また、ＨＤＤ１５１は図１には図示されていない。
【００１６】
図１に戻って説明する。カメラ部１０１で撮像して得られた被写体の画像信号は、ＡＧＣ回路部１０２に送られる。ＡＧＣ回路部１０２では、撮影範囲内の画像全体の画像信号中の輝度信号成分の平均レベルを算出し、この平均レベルが所定のレベル範囲内になるよう、利得を設定する。ここで、カメラ部１０１が図２に示す室内の照明光源２０２が点灯しているときの画像を撮影している時にＡＧＣ回路部１０２の設定した利得をＧ１とする。
【００１７】
ＡＧＣ回路部１０２は利得Ｇ１を設定すると、設定した利得Ｇ１をＡＧＣ補正部１１８と利得情報記憶部１１９とに送る。同時に、ＡＧＣ回路部１０２は、設定した利得Ｇ１でカメラ部１０１からの画像信号を増幅して、その画像信号をバッファメモリ／プリプロセス（ＢＭ）部１０５に出力する。
【００１８】
そして、その次のフレームのときに図２の室内の照明光源２０２の下を被写体２０３として白い服を着た人物が通ると、その人物の部分だけカメラ部１０１で撮影して得られた画像信号中の輝度信号成分のレベルが高くなるので、画像全体の輝度信号成分の平均が高くなる。そのためＡＧＣ回路部１０２は利得Ｇ１よりも低い利得Ｇ２を設定する。フレーム毎に設定されたＡＧＣ回路部１０２の利得は、直近のものを常に数フレーム分保存し、後述の動きベクトル検出で使用する。
【００１９】
ＡＧＣ回路部１０２は利得Ｇ２を設定すると、設定した利得の値Ｇ２をＡＧＣ補正部１１８と利得情報記憶部１１９とに送る。同時に、ＡＧＣ回路部１０２は、設定した利得Ｇ２でカメラ部１０１から出力された画像信号を増幅してバッファメモリ／プリプロセス部１０５に出力する。バッファメモリ／プリプロセス部１０５は、具体的には、フレームバッファの後段にフィルタ処理やダウンサンプリング処理等を行うプリプロセス部を設けた構成である。
【００２０】
一方、圧縮方法設定部１０４は、所定の手順でフレーム内符号化画像（Ｉピクチャ）、フレーム間順方向予測符号化画像（Ｐピクチャ）、双方向予測符号化画像（Ｂピクチャ）のいずれの方法で圧縮するかを順次選択するか、動きベクトル検出部１１６からの相関なしの情報に基づいたシーンチェンジ検出部１０３の判定結果により強制的にＩピクチャの方法での圧縮を選択する。
【００２１】
まず、圧縮方法設定部１０４で圧縮方法としてＩピクチャが設定された場合について説明する。この場合は、図１に示すように、スイッチＳＷ１は端子ａ側に接続され、かつ、スイッチＳＷ２はオフとされることで、以下のように信号が処理される。
【００２２】
バッファメモリ／プリプロセス部１０５から出力された画像信号は、スイッチＳＷ１を介して離散コサイン変換部１０７に入力されて周波数領域の信号に変換され、さらに、量子化部１０８に入力されて量子化（ビット変換）される。量子化部１０８から出力された量子化信号は、可変長符号化部１０９に入力されて可変長符号化される。
【００２３】
また、量子化部１０８から出力された量子化信号は逆量子化部１１２にも入力され、逆量子化される。そして、逆量子化部１１２の出力信号は逆離散コサイン変換部１１３に入力されて離散コサイン変換前の状態に戻される。逆離散コサイン変換部１１３の出力信号は加算器１１４に入力される。加算器１１４は、逆離散コサイン変換部１１３の出力信号と、ＳＷ２がオフにされたことによりゼロの値となるデータとを加算し、その加算結果をフレームメモリ１１５に供給して参照画像として記憶させる。
【００２４】
次に、圧縮方法設定部１０４で圧縮方法としてＰピクチャが設定された場合について説明する。この場合は、スイッチＳＷ１は端子ｂ側に接続され、かつ、スイッチＳＷ２はオンとされることで、以下のように信号が処理される。
【００２５】
バッファメモリ／プリプロセス部１０５に一旦蓄積された第ｎフレームの画像信号は、マクロブロック毎に減算器１０６に入力される。マクロブロックは動き補償予測に用いられる単位で、ＭＰＥＧ２では横方向１６画素、縦方向１６画素（以下、１６×１６画素と表記；他も同様）または１６ｘ８画素で構成されている。減算器１０６は、後述するフレームメモリ１１５に蓄えられ、動き補償予測部１１７によって動き補償予測された第ｎ−ｉ（ｉ≠０）フレームの局部復号されたデータと上記第ｎフレームの画像信号との差分をとる。これにより、時間的な冗長性が除去される。減算器１０６から出力された差分信号は、スイッチＳＷ１を介して離散コサイン変換部１０７に入力されて周波数領域の信号に変換され、さらに、量子化部１０８に入力されて量子化（ビット変換）される。量子化部１０８から出力された量子化信号は、可変長符号化部１０９に入力されて可変長符号化される。
【００２６】
また、量子化部１０８から出力された量子化信号は上記のＩピクチャ設定時と同様に、逆量子化部１１２、逆離散コサイン変換部１１３をそれぞれ経由して加算器１１４に入力され、ここで動き補償予測部１１７の出力である局部復号されたデータと加算され、その加算結果がフレームメモリ１１５に参照画像として記憶される。
【００２７】
動きベクトル検出部１１６は、後述するＡＧＣ補正部１１８で補正したバッファメモリ／プリプロセス部１０５からの画像信号と、フレームメモリ１１５からの参照画像信号とを基にして動きベクトルを検出し、動き補償予測部１１７に供給するか、相関なしの情報をシーンチェンジ検出部１０３に供給する。具体的には、ＡＧＣ補正部１１８で補正されたバッファメモリ／プリプロセス部１０５の出力画像信号をマクロブロック単位で取り出し、１６×１６画素又は１６×８画素をフレームメモリ１１５からの信号（参照画像信号）のすべて又は一部の画素と比較することにより、最も相関が高い１６×１６画素又は１６×８画素の画素領域をフレームメモリ１１５から出力された信号から選び両者の位置関係を動きベクトルとして検出して動き補償予測部１１７に供給するか、相関なしの情報をシーンチェンジ検出部１０３に供給する。この相関の検出は１６×１６画素又は１６×８画素の差分絶対値の累計を予め定められたしきい値と比較することにより実施される。
【００２８】
このときＡＧＣ補正部１１８は、利得情報記憶部１１９に保存されているフレームメモリ１１５に蓄積されているフレーム入力時に使用された利得と、ＡＧＣ回路部１０２より出力されるバッファメモリ／プリプロセス部１０５のフレーム入力時に使用された利得との比率でバッファメモリ／プリプロセス部１０５の出力画像信号を増幅することにより、ＡＧＣ回路部１０２による利得変動の影響を打ち消し安定した動き検出を実現する。
【００２９】
例えば、ＡＧＣ回路部１０２より出力される、バッファメモリ／プリプロセス部１０５のフレーム入力時に使用された利得をＧ２、バッファメモリ／プリプロセス部１０５の出力輝度信号レベルをＡ、利得情報記憶部１１９に記憶されているフレームメモリ１１５から出力されるフレームが入力された時の利得をＧ１としたとき、ＡＧＣ補正部１１８は下記演算式による演算により、バッファメモリ／プリプロセス部１０５の出力輝度信号レベルを補正し、その補正値Ａ’を動きベクトル検出部１１６へ出力する。
【００３０】
Ａ’＝Ａ×（Ｇ１／Ｇ２）
ここで、画面の一部の明るさの変化により、利得が変化した場合において、残りの輝度信号レベルが変化していない部分も利得変動により輝度信号レベルが変化してしまう。このようなときに動きベクトル検出部１１６において、本来相関があるべき画素領域も相関無しと誤判定されてしまう場合がある。動きベクトル検出部１１６に入力される画素領域の輝度信号レベルを上記の演算式の演算により補正することで、このような誤判定を抑止することが可能となる。
【００３１】
動き補償予測部１１７は、符号化に使用する動きベクトルなどの付帯情報を可変長符号化部１０９に供給する。動き補償予測部１１７から供給された付帯情報と、量子化部１０８から供給された量子化信号は、可変長符号化部１０９に入力されて可変長符号化される。
【００３２】
次に、圧縮方法設定部１０４で圧縮方法としてＢピクチャが設定された場合について説明する。この場合は、スイッチＳＷ１は端子ｂ側に接続され、かつ、スイッチＳＷ２はオフとされることで、以下のように信号が処理される。
【００３３】
バッファメモリ／プリプロセス部１０５に一旦蓄積された第ｎフレームの画像信号は、マクロブロック毎に減算器１０６に入力される。減算器１０６は、Ｉピクチャ又はＰピクチャ設定時にフレームメモリ１１５に蓄えられ、動き補償予測部１１７によって動き補償予測された第ｎ−ｉまたは第ｎ＋ｊ（ｉ，ｊ≠０）フレームの局部復号されたデータと、上記第ｎフレームの画像信号との差分をとる。減算器１０６から出力された差分信号は、離散コサイン変換部１０７に入力されて周波数領域の信号に変換され、さらに、量子化部１０８に入力されて量子化（ビット変換）される。量子化部１０８から出力された量子化信号は、可変長符号化部１０９に入力される。
【００３４】
一方、動きベクトル検出部１１６は、前述したＡＧＣ補正部１１８で補正されたバッファメモリ／プリプロセス部１０５の出力画像信号とフレームメモリ１１５の出力信号（参照画像信号）とを基にして動きベクトルを検出するか、相関なしの情報をシーンチェンジ検出部１０３に供給する。
【００３５】
具体的にはＰピクチャと同様に、ＡＧＣ補正部１１８で補正されたバッファメモリ／プリプロセス部１０５から出力された画像信号をマクロブロック単位で取り出し、１６×１６画素又は１６×８画素をフレームメモリ１１５からの信号（参照画像信号）のすべて又は一部の画素と比較することにより、最も相関が高い１６×１６画素又は１６×８画素の画素領域をフレームメモリ１１５から出力された信号から選び両者の位置関係を動きベクトルとして検出し動き補償予測部１１７に供給するか、相関なしの情報をシーンチェンジ検出部１０３に供給する。
【００３６】
この相関の検出は１６×１６画素又は１６×８画素の差分絶対値の累計を予め定められたしきい値と比較することにより実施される。このときＡＧＣ補正部１１８は、前記演算式に従い、利得情報記憶部１１９に記憶されているフレームメモリ１１５に蓄積されているフレーム入力時に使用された利得と、ＡＧＣ回路部１０２より出力されるバッファメモリ／プリプロセス部１０５のフレーム入力時に使用された利得との比率で、バッファメモリ／プリプロセス部１０５の出力画像信号を増幅することにより、ＡＧＣ回路部１０２による利得変動の影響を打ち消し安定した動き検出を実現する。
【００３７】
動き補償予測部１１７は、符号化に使用する動きベクトルなどの付帯情報を可変長符号化部１０９に供給する。動き補償予測部１１７から供給された付帯情報と、量子化部１０８から供給された量子化信号とは、可変長符号化部１０９に入力されて可変長符号化される。
【００３８】
このようにして、Ｉピクチャ、Ｐピクチャ、Ｂピクチャ毎に前述のような手順で可変長符号化された信号はマルチプレクサ１１０に入力される。マルチプレクサ１１０は、可変長符号化部１０９の出力符号化信号と、図示しない音声符号化信号などの出力を多重化して符号化データとして出力する。また、符号量制御部１１１は、マルチプレクサ１１０からの情報を基にして、符号化データの単位時間当たりのデータ量が適切な範囲に収まるよう、量子化部１０８における量子化に必要な係数を設定する。このようにして画像の圧縮が行われる。
【００３９】
このように、本実施の形態の画像圧縮装置は、ＡＧＣ回路部１０２によって設定される利得情報を基に比較画像の輝度信号レベルを補正することにより、ＡＧＣ回路作動による動き補償予測精度悪化を抑止することができる。
【図面の簡単な説明】
【００４０】
【図１】本発明の画像圧縮装置の構成例を示すブロック図である。
【図２】本発明の画像圧縮装置の撮像状態を示す模式図である。
【符号の説明】
【００４１】
１０１  カメラ部
１０２  ＡＧＣ回路部
１０３  シーンチェンジ検出部
１０４  圧縮方法設定部
１０５  バッファメモリ／プリプロセス（ＢＭ）部
１０６  減算器
１０７  離散コサイン変換（ＤＣＴ）部
１０８  量子化部
１０９  可変長符号化（ＶＬＣ）部
１１０  マルチプレクサ（ＭＵＸ）
１１１  符号量制御（ＣＣ）部
１１２  逆量子化（ＩＱ）部
１１３  逆離散コサイン変換（ＩＤＣＴ）部
１１４  加算器
１１５  フレームメモリ（ＦＭ）
１１６  動きベクトル検出部（ＭＥ）
１１７  動き補償予測部（ＭＣ）
１１８  ＡＧＣ補正部
１１９  利得情報記憶部
【図１】
2008236453.tif 000003
【図２】
2008236453.tif 000004